(57)【要約】      （修正有）【課題】観音開き式扉の開閉時に異音が発生しにくく、滑らかに扉を開閉することができる冷蔵庫を提供する。【解決手段】観音開き式扉のうちの一方の扉の反枢支側に取り付けられ、開閉扉動作に応じて回動することで観音開き式扉の間を閉塞する回動仕切体２０と、を備える冷蔵庫において、回動仕切体２０と一方の扉との間に設けられるねじりコイルばね４０と、一方の腕部４４を保持する扉側保持部４８と、他方の腕部４４を保持する仕切側保持部５０とを備え、仕切側保持部５０は、固定部５２と、他方の腕部４６を挿入する筒状の挿入部５４と、挿入部５４の軸方向に沿って設けられた隙間５６とを備え、挿入部５４の内周面において他方の腕部４６が摺動する摺動面の端部と固定部５２との間に隙間５６が設けられ、ねじりコイルばね４０のたわみ角が増加する回動仕切体２０の動作時に他方の腕部４６が、固定部５２から隙間５６を通って摺動面へ摺動移動する。【選択図】図５
2012021674.tif 000002
【特許請求の範囲】
【請求項１】
貯蔵室の前面開口部の左右両側に回動自在に枢支されて当該開口部を閉塞する観音開き式扉と、前記観音開き式扉のうちの一方の扉の反枢支側に取り付けられ、開閉扉動作に応じて回動することで前記観音開き式扉の間を閉塞する回動仕切体と、を備える冷蔵庫において、
前記回動仕切体と前記一方の扉との間に設けられるねじりコイルばねと、
前記一方の扉に設けられ、前記ねじりコイルばねの一方の腕部を保持する扉側保持部と、
前記回動仕切体に設けられ、前記ねじりコイルばねの他方の腕部を保持する仕切側保持部とを備え、
前記仕切側保持部は、前記回動仕切体に固定される固定部と、前記ねじりコイルばねの前記他方の腕部を挿入する筒状の挿入部と、前記挿入部の軸方向に沿って設けられた隙間とを備え、
前記挿入部の内周面において前記他方の腕部が摺動する摺動面の端部と前記固定部との間に前記隙間が設けられ、
前記ねじりコイルばねのたわみ角が増加する前記回動仕切体の動作時に前記他方の腕部が、前記固定部から前記隙間を通って前記摺動面へ摺動移動することを特徴とする冷蔵庫。
【請求項２】
前記隙間が、前記固定部より前記回動仕切体の回動軸に近い位置に配置されていることを特徴とする請求項１に記載の冷蔵庫。
【請求項３】
前記仕切側保持部は、打ち抜き加工された板体を曲げ加工してなり、
前記打ち抜き加工時に生じるバリが、前記挿入部の外周面に配設されていることを特徴とする請求項１又は２に記載の冷蔵庫。
【発明の詳細な説明】
【技術分野】
【０００１】
本発明の実施形態は、冷蔵庫に関する。
【背景技術】
【０００２】
従来、冷蔵庫本体の左右両側部に設けたヒンジに観音開き式の左右一対の扉を回動自在に枢支して、冷蔵庫本体の前面開口部を閉塞する冷蔵庫では、左右の両扉の隙間を埋めるため、両扉のうちの一方の扉の反枢支側の裏面に回動式の回動仕切体が設けられている（例えば、特許文献１参照）。
【０００３】
回動仕切体は、一方の扉の内側に設けたヒンジにより回動可能に設けられており、扉の開閉動作に伴って冷蔵庫本体に設けられたガイド部に当接することで、開扉動作時に扉の背面に隠れ、閉扉動作時に左右扉の裏面周縁部に取り付けられたガスケットに当接して内部をシールする。そして、回動仕切体は、ねじりコイルばねによって回動方向に付勢されその姿勢を保持するように構成されている。
【先行技術文献】
【特許文献】
【０００４】
【特許文献１】特開２００９−２５０６０２号公報
【発明の概要】
【発明が解決しようとする課題】
【０００５】
このような観音開き式扉の間を閉塞する回動仕切体を備えた冷蔵庫では、扉開閉に伴う回動仕切体の回動動作により生じる異音を抑えたり、滑らかな扉開閉が望まれている。
【０００６】
本発明は、上記事項を考慮してなされたものであり、扉開閉時に異音が発生しにくく、滑らかに扉を開閉することができる冷蔵庫を提供することを目的とする。
【課題を解決するための手段】
【０００７】
本発明に係る冷蔵庫は、貯蔵室の前面開口部の左右両側に回動自在に枢支されて当該開口部を閉塞する観音開き式扉と、前記観音開き式扉のうちの一方の扉の反枢支側に取り付けられ、開閉扉動作に応じて回動することで前記観音開き式扉の間を閉塞する回動仕切体とを備える冷蔵庫において、前記回動仕切体と前記一方の扉との間に設けられるねじりコイルばねと、前記一方の扉に設けられ、前記ねじりコイルばねの一方の腕部を保持する扉側保持部と、前記回動仕切体に設けられ、前記ねじりコイルばねの他方の腕部を保持する仕切側保持部とを備え、前記仕切側保持部は、前記回動仕切体に固定される固定部と、前記ねじりコイルばねの前記他方の腕部を挿入する筒状の挿入部と、前記挿入部の軸方向に沿って設けられた隙間とを備え、前記挿入部の内周面において前記他方の腕部が摺動する摺動面の端部と前記固定部との間に前記隙間が設けられ、前記ねじりコイルばねのたわみ角が増加する前記回動仕切体の動作時に前記他方の腕部が、前記固定部から前記隙間を通って前記摺動面へ摺動移動することを特徴とする。
【図面の簡単な説明】
【０００８】
【図１】本発明の第１実施形態に係る冷蔵庫の斜視図である。
【図２】図１に示す冷蔵庫が備える回動仕切体の分解斜視図である。
【図３】図１に示す冷蔵庫の閉扉状態における冷蔵室扉の要部拡大断面図である。
【図４】図１に示す冷蔵庫の開扉状態における冷蔵室扉の要部拡大断面図である。
【図５】左扉の開閉時における回動仕切体とねじりコイルばねの状態を示す図である。
【図６】仕切側保持部の斜視図である。
【図７】図５の要部拡大図である。
【発明を実施するための形態】
【０００９】
以下、本発明の第１実施形態に係る冷蔵庫１について図面を参照して説明する。
【００１０】
図１に例示すように、冷蔵庫１は、最上段に観音開き式扉による左右両開きの冷蔵室２を備え、冷蔵室２の下方に野菜室３が設けられている。野菜室３の下方には、製氷室４と温度切替室５が左右に隣接して設けられ、さらに下方に冷凍室６が設けられている。
【００１１】
冷蔵室２の前面開口部は、該開口部を幅方向に区分する観音開き式の左扉８および右扉９により閉塞される。この左扉８および右扉９は、冷蔵庫本体の左右両側に設けたヒンジ７により回動自在に枢支されている。左扉８および右扉９の裏面周縁部には、内部にマグネット（不図示）を備えたガスケット１０が全周縁にわたって取り付けられており、冷蔵庫本体の開口縁および回動仕切体２０に当接して冷蔵室２内をシールしている。
【００１２】
回動仕切体２０は、ガスケット１０が有するマグネットの吸着面を構成する鋼板の仕切板２２と、断熱層を形成する断熱部材２４と、仕切板２２と断熱部材２４との間に配される面ヒータ２６と、前面に開口する断面コ字状の仕切枠体２８とを備える。断熱部材２４及び面ヒータ２６を収納した状態で仕切板２２が仕切枠体２８の前面開口部を閉塞している。
【００１３】
回動仕切体２０は、上下端部に設けられた上側取付部材３０及び下側取付部材３２を介して左扉８の枢支側辺に対向する反枢支側（本実施形態では左扉８の右側面を構成する扉内板８ａ）に配設されている。上側取付部材３０及び下側取付部材３２には、それぞれ枢軸部３４，３５が設けられており、仕切枠体２８の上下端部に設けられた軸孔３６，３７に枢軸部３４，３５が回動自在に挿通された状態で左扉８の右側面にネジ止めなどにより固定される。これにより、回動仕切体２０は枢軸部３４，３５を中心に回動自在に左扉８に固定されている。
【００１４】
そして、回動仕切体２０は、ガイド溝３８とガイドピン３９との作用、及び、ねじりコイルばね４０の付勢力により左扉８及び右扉９の開閉に連動して回動するように構成されている。
【００１５】
詳細には、回動仕切体２０の上端部に配設されたキャップ部材３３の上端面にガイド溝３８が形成されており、このガイド溝３８に冷蔵室２の天井面から下方に突設されたガイドピン３９が係合している。そして、左扉８の閉扉動作に伴ってガイドピン３９がガイド溝３８を摺動することで、回動仕切体２０が枢軸部３４，３５を中心に回動して、図３に示すように左扉８及び右扉９の裏面周縁部に取り付けられたガスケット１０に回動仕切体２０の仕切板２２が当接する。また、左扉８の開扉動作に伴ってガイドピン３９がガイド溝３８を摺動することで、閉扉動作時の反対方向に回動仕切体２０が枢軸部３４，３５を中心に回動して図４に示すように左扉８の背面に隠れる。
【００１６】
ねじりコイルばね４０は、針金状のばね材がコイル状に巻かれてなるコイル部４２と、このコイル部４２の一端から接線方向に引き出された第１腕部４４と、コイル部４２の他端から接線方向に引き出された第２腕部４６とを備え、全体としてＶ字状に形成されている。ねじりコイルばね４０の第１腕部４４及び第２腕部４６の端部は、それぞれコイル部４２の軸線方向に屈曲している。
【００１７】
第１腕部４４において軸線方向に屈曲した端部が下側取付部材３２に設けられた扉側保持部４８に挿通され、第１腕部４４は回動可能に支持される。また、第２腕部４６において軸線方向に屈曲した端部が、回動仕切体２０に設けられた仕切側保持部５０に挿入され、第２腕部４６は回動自在に支持されている。そして、下側取付部材３２が左扉８に固定されることにより、回動仕切体２０と左扉８とにわたってねじりコイルばね４０が設けられる。
【００１８】
ねじりコイルばね４０の第２腕部４６を保持する仕切側保持部５０は、図５及び図６に示すように、回動仕切体２０の仕切枠体２８に対してネジ留めなどにより固定される略Ｌ字状に形成された固定部５２と、第２腕部４６の端部が挿入される筒状の挿入部５４と、挿入部５４の周方向の一部に軸方向に沿って形成された隙間５６とを備える。
【００１９】
仕切側保持部５０は、矩形状の金属板を略Ｌ字状に折り曲げて固定部５２が形成され、固定部５２の一端を筒状に湾曲させて挿入部５４が形成され、挿入部５４の端縁と固定部５２との間に隙間５６が設けられている。
【００２０】
なお、隙間５６の幅、すなわち、挿入部５４の端縁と固定部５２との間隔Ｗは、ねじりコイルばね４０を構成するばね材の直径Ｒの０．２倍以下に設定することが好ましい。
【００２１】
仕切側保持部５０を構成する金属板として、打ち抜き加工により所定の矩形状に形成された金属板を使用する場合、図６及び図７に示すように打ち抜き加工により金属板の周縁部に生じるバリＸが筒状の挿入部５４の外周面に位置するように曲げ加工を行うことが好ましい。なお、図面においてはバリＸを誇張して描いている。
【００２２】
仕切側保持部５０は、固定部５２の一端に設けられた筒状の挿入部５４が、下側取付部材３２の枢軸部３５に向けて湾曲するように回動仕切体２０の仕切枠体２８に固定される。これにより、仕切側保持部５０は、固定部５２より回動仕切体２０の回動軸となる下側取付部材３２の枢軸部３５に近接する位置に隙間５６が配置される。
【００２３】
次に、本実施形態の冷蔵庫１における左扉８の開閉動作に伴う回動仕切体２０の動作を説明する。なお、図５は、回動仕切体２０の回動時における回動仕切体２０及びねじりコイルばね４０の位置関係を示し、回動仕切体２０の位置を固定してねじりコイルばね４０の移動軌跡を示している。
【００２４】
図３に示すように左扉８の閉扉状態では、ねじりコイルばね４０が、回動仕切体２０に対して図５の符号Ａで示す位置にあり、ねじりコイルばね４０の第２腕部４６の端部４７が固定部５２に当接している（図７の符号Ａ参照）。この状態では、ねじりコイルばね４０は、その復元力により下側取付部材３２の扉側保持部４８から離れる方向に回動仕切体２０を付勢し、左扉８及び右扉９の裏面周縁部に取り付けられたガスケット１０に回動仕切体２０を押さえ付ける。
【００２５】
そして、使用者の操作等によって閉扉状態から開扉方向へ左扉８が回動すると、左扉８の開扉動作に伴ってガイドピン３９がガイド溝３８を摺動することで、回動仕切体２０は左扉８の背面に向けて枢軸部３４，３５を中心に回動する。
【００２６】
その際、回動仕切体２０に設けられた仕切側保持部５０も枢軸部３４，３５を中心に回動し、これに伴ってねじりコイルばね４０の第２腕部４６も仕切側保持部５０とともに図５の符号Ａで示す位置から符号Ｂ〜Ｄで示す位置に順次移動する。
【００２７】
左扉８の開扉動作に伴う回動仕切体２０の回動により、ねじりコイルばね４０は、第１腕部４４と第２腕部４６とが近づくように（第１腕部４４と第２腕部４６とがなすＶ字が閉じられるように）第１腕部４４と第２腕部４６とがコイル部４２を中心に回動する。つまり、本実施形態では左扉８の開扉動作時に回動仕切体２０がねじりコイルばね４０に対して荷重を付与してねじりコイルばね４０のたわみ角を増加させる。
【００２８】
そして、回動仕切体２０がある程度の状態まで左扉８の背面に近づくと、ねじりコイルばね４０のＶ字を開いて通常の状態に戻ろうとする復元力が、左扉８から離れる方向から左扉８の背面に向けて回動仕切体２０を付勢する力として作用する。これにより、回動仕切体２０は、ねじりコイルばね４０の復元力によって左扉８の背面に隠れた状態で保持される。
【００２９】
上記した左扉８の開扉動作に伴う回動仕切体２０の回動により、ねじりコイルばね４０の第２腕部４６が図５の符号Ａで示す位置から符号Ｂ〜Ｄで示す位置に順次移動すると、第２腕部４６の端部４７は、図７の符号Ａで示す固定部５２に当接した状態から、隙間５６を通って挿入部５４の内周面５４ａを隙間５６から離れる方向へ摺動する（図７の符号Ｂ〜Ｄ参照）。つまり、本実施形態では、挿入部５４の内周面５４ａにおいてねじりコイルばね４０の第２腕部４６が摺動する摺動面５４ａ’の端部と固定部５２との間に隙間５６が位置している（図７参照）。
【００３０】
また、図４に示すような左扉８の開扉状態から使用者の操作等によって閉扉方向へ左扉８が回動すると、左扉８の閉扉動作に伴ってガイドピン３９がガイド溝３８を摺動することで、回動仕切体２０は枢軸部３４，３５を中心に左扉８から離れる方向へ回動する。
【００３１】
そして、開扉動作時と同様、回動仕切体２０がある程度の状態まで左扉８から離れると、その後は、ねじりコイルばね４０の復元力によって回動仕切体２０は左扉８から離れる方向へ付勢され、左扉８及び右扉９の裏面周縁部に取り付けられたガスケット１０に押さえ付けられる。
【００３２】
以上のように本実施形態の冷蔵庫１では、ねじりコイルばね４０の第２腕部４６を保持する仕切側保持部５０を金属板の曲げ加工により形成することができるため、簡単かつコスト安価に製造することができる。
【００３３】
本実施形態のように曲げ加工によって固定部５２の一端に筒状の挿入部５４を形成すると、固定部５２と挿入部５４との間に隙間５６が形成されることとなり、回動仕切体２０の回動によりねじりコイルばね４０の第２腕部４６の端部４７が、隙間５６を通って挿入部５４の内周面５４ａを摺動する。本実施形態では、ねじりコイルばね４０のたわみ角が比較的小さくねじりコイルばね４０の反発力が小さい状態で第２腕部４６の端部４７が隙間５６を通過するため、端部４７が隙間５６を通過する際に生じる衝撃を小さく抑えることができ、異音の発生を抑えたり左扉８の開閉を滑らかに行うことができる。
【００３４】
特に、本実施形態のように隙間５６の幅Ｗをねじりコイルばね４０を構成するばね材の直径Ｒの０．２倍以下に設定することで、第２腕部４６の端部４７が隙間５６を通過する際の抵抗を小さくすることができ、より一層、異音の発生を抑えたり左扉８の開閉を滑らかに行うことができる。
【００３５】
また、打ち抜き加工により金属板の周縁部に生じるバリＸが筒状の挿入部５４の外周面に位置するように金属板を曲げ加工して仕切側保持部５０が形成されているため、ねじりコイルばね４０の第２腕部４６の端部４７が挿入部５４の内周面５４ａを摺動する際にバリＸと擦れ合うことがなく、第２腕部４６の端部４７の摩耗劣化を抑えることができる。
【符号の説明】
【００３６】
１…冷蔵庫          ２…冷蔵室                ７…ヒンジ
８…左扉            ８ａ…扉内板              ９…右扉
１０…ガスケット    １２…冷蔵室            ２０…回動仕切体
２２…仕切板        ２４…断熱部材          ２８…仕切枠体
３０…上側取付部材  ３２…下側取付部材      ３３…キャップ部材
３４，３５…枢軸部  ３６，３７…軸孔        ３８…ガイド溝
３９…ガイドピン    ４０…ねじりコイルばね  ４２…コイル部
４４…第１腕部      ４６…第２腕部          ４７…端部
４８…扉側保持部    ５０…仕切側保持部      ５２…固定部
５４…挿入部        ５４ａ…内周面          ５６…隙間
Ｘ…バリ
【図１】
2012021674.tif 000003
【図２】
2012021674.tif 000004
【図３】
2012021674.tif 000005
【図４】
2012021674.tif 000006
【図５】
2012021674.tif 000007
【図６】
2012021674.tif 000008
【図７】
2012021674.tif 000009